(57)【特許請求の範囲】
【請求項１】
静電気放電を防止した区域で用いられる機器であって、
複数の接続端子を備えたアースターミナルを備え、
前記アースターミナルは、機器本体筐体の導体部品や静電気拡散性部品と電気的に導通しており、
前記複数の接続端子は、相互に電気的に導通しており、
前記複数の接続端子のうち少なくとも一つの接続端子はグラウンド設備を介してＥＰＡグラウンドに接地されるアース線が接続され、
他の端子は、他の機器から延びるアース線の接続端子が接続され、
前記機器は、アームに取り付けられた拡大鏡であって、
前記アースターミナルは、前記アームの背面側に取り付けられ、
前記接続端子は前記アームの背面方向を向けて開口している端子挿入口として構成されている、
機器。
【請求項２】
静電気放電を防止した区域で用いられる機器であって、
複数の接続端子を備えたアースターミナルを備え、
前記アースターミナルは、機器本体筐体の導体部品や静電気拡散性部品と電気的に導通しており、
前記複数の接続端子は、相互に電気的に導通しており、
前記複数の接続端子のうち少なくとも一つの接続端子はグラウンド設備を介してＥＰＡグラウンドに接地されるアース線が接続され、
他の端子は、他の機器から延びるアース線の接続端子が接続され、
前記機器は、作業台と、前記作業台から立設する支柱に取り付けられた拡大鏡であって、
前記アースターミナルは、前記支柱の立設位置の近傍に設けられ、
前記接続端子は、背面方向を向けて開口している端子挿入口として構成されている、
機器。
【請求項３】
前記アースターミナルは、金属の塊に前記接続端子が直接設けられて形成されている、
請求項１または２に記載の機器。
【請求項４】
静電気放電を防止した区域で用いられる機器であって、
複数の接続端子を備えたアースターミナルを備え、
前記アースターミナルは、機器本体筐体の導体部品や静電気拡散性部品と電気的に導通しており、
前記複数の接続端子は、相互に電気的に導通しており、
前記複数の接続端子のうち少なくとも一つの接続端子はグラウンド設備を介してＥＰＡグラウンドに接地されるアース線が接続され、
他の端子は、他の機器から延びるアース線の接続端子が接続され、
前記アースターミナルは、金属の塊に前記接続端子が直接設けられて形成されている、
機器。
【請求項５】
前記アースターミナルを覆うカバーを備える、
請求項１から４までのいずれか１項に記載の機器。
【請求項６】
前記カバーの表面抵抗は、１×１０５〜１×１０１１Ωである、
請求項５に記載の機器。
【発明の詳細な説明】
【技術分野】
【０００１】
本発明は、静電気放電を防止した区域で用いられる機器に関する。
【背景技術】
【０００２】
静電気放電保護区域（ＥＰＡ）では、使用する機器に対して、基本、帯電防止品を使用し、適切に接地することで、帯電を防止している。例えば、身体に帯電した電荷を接地側の電極に逃がすために、アース線で前記の電極に接続するリストバンド（リストストラップ）が用いられる（例えば特許文献１参照）。特許文献１に開示の技術では、リストバンドの接地配線を導電マットの接地配線に共用して配線設備を簡素化している。
【先行技術文献】
【特許文献】
【０００３】
【特許文献１】特開平８−２２７７９９号公報
【発明の概要】
【発明が解決しようとする課題】
【０００４】
リストバンド等の帯電防止品は、グラウンドに接続されているアースターミナルに接続される。一般には、アースターミナルは、それ自体が独立した製品として供給されている。このアースターミナルの設置には作業台等へのねじ止めが必要で、基本的にはリストバンドを接続する用途のため、ほぼ作業者の人数分アースターミナルが必要になり、コスト高になるという課題があった。また、作業台等にアースターミナルの設置する場合には、作業者の作業範囲を限定してしまうことがあり、作業者が使用する計測機器の設置位置が制約されてしまうという課題もあった。
特許文献１のソケットは、ホックで導電マットに接続され、導電マットとリストバンドが共通に接地されている。これは、ホックの場所が固定されているため、ＥＰＡに導入される機器（計測機器や拡大鏡など）の設置場所を限定してしまい、利便性に欠けるという課題があった。また、機器自体のアースを取りたい場合に、既にリストバンドの端子でアースターミナルが埋まっている場合があり、このような場合、増設が必要となったり割込みプラグが必要となったりするなどの別途対策が必要で、コストや手間がかかってしまうという課題があった。また、割込みプラグを取りつけるスペースを確保できない場合もあり、極力追加の対策が不要であることが望ましい。
【０００５】
本発明は、このような状況に鑑みなされたものであって、ＥＰＡで作業をする際に、帯電防止品等のアースを取りやすくする技術を提供することを目的とする。
【課題を解決するための手段】
【０００６】
本発明は、静電気放電を防止した区域で用いられる機器であって、
複数の接続端子を備えたアースターミナルを備え、
前記アースターミナルは、前記機器筐体の導体部品や静電気拡散性部品と電気的に導通しており、
前記複数の接続端子は、相互に電気的に導通しており、
前記複数の接続端子のうち少なくとも一つの接続端子はグラウンド設備を介してＥＰＡグラウンドに接地されるアース線が接続され、
他の端子は、当該機器外から接続されるアース線の接続端子が挿入されており、
前記機器は、アームに取り付けられた拡大鏡であって、
前記アースターミナルは、前記アームの背面側に取り付けられ、
前記接続端子は前記アームの背面方向を向けて開口している端子挿入口として構成されている。
本発明は、静電気放電を防止した区域で用いられる機器であって、
複数の接続端子を備えたアースターミナルを備え、
前記アースターミナルは、機器本体筐体の導体部品や静電気拡散性部品と電気的に導通しており、
前記複数の接続端子は、相互に電気的に導通しており、
前記複数の接続端子のうち少なくとも一つの接続端子はグラウンド設備を介してＥＰＡグラウンドに接地されるアース線が接続され、
他の端子は、他の機器から延びるアース線の接続端子が接続され、
前記機器は、作業台と、前記作業台から立設する支柱に取り付けられた拡大鏡であって、
前記アースターミナルは、前記支柱の立設位置の近傍に設けられ、
前記接続端子は、背面方向を向けて開口している端子挿入口として構成されている、
本発明は、静電気放電を防止した区域で用いられる機器であって、
複数の接続端子を備えたアースターミナルを備え、
前記アースターミナルは、機器本体筐体の導体部品や静電気拡散性部品と電気的に導通しており、
前記複数の接続端子は、相互に電気的に導通しており、
前記複数の接続端子のうち少なくとも一つの接続端子はグラウンド設備を介してＥＰＡグラウンドに接地されるアース線が接続され、
他の端子は、他の機器から延びるアース線の接続端子が接続され、
前記アースターミナルは、金属の塊に前記接続端子が直接設けられて形成されている。
【発明の効果】
【０００７】
本発明によると、ＥＰＡで作業をする際に帯電防止品等のアースを取りやすくする技術を提供することができる。
【図面の簡単な説明】
【０００８】
【図１】第１の実施形態のＥＰＡ機器を示す図である。
【図２】第１の実施形態のＥＰＡ機器の側面に設けられたアースターミナルを示す図である。
【図３】第２の実施形態のアーム式照明拡大鏡を示す図である。
【図４】第３の実施形態の照明拡大鏡を示す斜視図である。
【図５】第３の実施形態の照明拡大鏡を示す側面図（一部断面図）である。
【図６】第３の実施形態の照明拡大鏡を示す平面図（一部断面図）である。
【発明を実施するための形態】
【０００９】
≪実施形態の概要≫
以下の実施形態では、静電気放電保護区域（ＥＰＡ）に導入される機器（測定装置や拡大鏡など）にアースターミナルを組み込み、そのアースターミナルでアース線を集約してＥＰＡグラウンドに接続する。以下、具体的に説明する。
【００１０】
≪第１の実施形態≫
図１は、本実施形態に係るＥＰＡ機器１を示した図である。ここでは、ＥＰＡ機器１は、静電気放電保護区域（ＥＰＡ）に指定され運用されている所定の作業室に設置されている。作業室の壁面等にはＥＢＰ４０が設けられている。
【００１１】
ＥＢＰ４０は、グラウンド接続点であって、静電気対策の規格（ＲＣＪＳ）が要求するＥＢＰ（グラウンド接続点）の仕様に適合し、ＥＰＡ（ＥＳＤ保護区域）内に多く存在するアース経路をまとめて、管理する。具体的には、ＥＢＰ４０には、ＥＰＡグラウンドに接続されるＥＰＡグランド線４３と、ＥＰＡ機器１に接続されるアース線４１が接続されている。
【００１２】
ＥＰＡ機器１は、機器側面２（すなわち筐体側面）にアースターミナル１０を有しており、ＥＰＡ内に設置された作業台９１の上に配置されている。作業者は、自身の手（手首）９０に帯電防止品であるリストストラップ５０を手首９０に装着して、アースターミナル１０を介してＥＢＰ４０に接続する。これによって作業者の帯電を防止するとともに帯電した電荷を速やかにアースに逃がすことができる。
【００１３】
作業台９１の上面には導電性ゴムマット９１ａが設けられている。導電性ゴムマット９１ａの上に、所定の計測機能を有するＥＰＡ機器１が置かれている。作業台９１と導電性ゴムマット９１ａの間には、アース線６１の一端が接続されたアース板６０が置かれ、アースターミナル１０を介してＥＢＰ４０に接続される。
【００１４】
図２は、図１のアースターミナル１０を拡大して示した図である。アースターミナル１０は、縦長の略直方体の形状を呈しており、機器側面２に縦に取り付けられている。アースターミナル１０は、ターミナル本体１１と、ターミナル本体１１に設けられた複数の端子挿入口から構成されている。ターミナル本体１１は、例えば、真鍮やアルミニウム（またはその合金）等の導体の金属（より具体的には無垢の金属）を所定形状に加工したものである。ターミナル本体１１はＥＰＡ機器本体筐体の導体部品や静電気拡散性部品と電気的に導通している。
【００１５】
ターミナル本体１１の天面（すなわちターミナル本体１１に取り付けられた面と反対側の面）には、複数の端子挿入孔１２が設けられ、例えばバナナ端子４２、５２、６２を挿入可能になっている。ここでは、第１〜第５の端子挿入孔１２ａ〜１２ｅが上から順に形成されている。
【００１６】
ターミナル本体１１は導体の金属でできており、第１〜第５の端子挿入孔１２ａ〜１２ｅは相互に同じ形状・機能を有して相互に導通している。従って、第１〜第５の端子挿入孔１２ａのいずれかの端子挿入孔１２に挿入されたバナナ端子４２、５２、６２（すなわちアース線４１、５１、６１）は、他の端子挿入孔１２のバナナ端子４２、５２、６２（すなわちアース線４１、５１、６１）と導通する。なお、第１〜第５の端子挿入孔１２ａ〜１２ｅのうち１つの端子挿入孔１２は、直接的または間接的にＥＢＰ４０（すなわちＥＰＡグラウンド）に接続される必要があることから、特定の端子挿入孔１２について（例えば一番上の第１の端子挿入孔１２ａ）、ＥＢＰ４０（すなわちＥＰＡグラウンド）に接続される端子挿入孔１２である旨の表記を付すことが望ましい。
【００１７】
図２では、一番上の第１の端子挿入孔１２ａに、ＥＢＰ４０から延びるアース線４１のバナナ端子４２が挿入される。真ん中の第３の端子挿入孔１２ｃにアース板６０から延び得るアース線６１のバナナ端子６２が挿入される。さらに、一番下の第５の端子挿入孔１２ｅにリストストラップ５０から延びるアース線５１のバナナ端子５２が挿入される。
【００１８】
このように、ＥＰＡ機器１に取り付けられているアースターミナル１０は、ＥＰＡ機器１自体の筐体や、周囲の帯電防止品（すなわち作業者が装着しているリストストラップ５０、作業台９１に配置されているアース板６０）からのアース線４１、５１、６１を集約する。集約されたアース線４１、５１、６１はＥＢＰ４０に接続され、最終的にＥＰＡグラウンドに接地される。これによって、不足しがちなＥＢＰ４０を追加する設置工事や、単独で作業台９１等に取り付けられるアースターミナルを抑制できる。また、アース線４１、５１、６１の配線が煩雑になってしまうことを防止できる。さらに、作業者が使用するＥＰＡ機器１にアースターミナル１０が設けられているので、ＥＰＡ機器１の設置位置が制限されることもない。
【００１９】
なお、アースターミナル１０の端子挿入孔１２の数を上述のように２つ以上とすることで、ＥＰＡ機器１と作業台等のアース（アース板６０）やリストストラップ５０の接続だけではなく、機器組み込み用アースターミナルを持つ製品同士（すなわち複数のＥＰＡ機器１同士）を接続し、ＥＢＰ４０を介してＥＰＡグラウンドに接地できる。
【００２０】
なお、アースターミナル１０の表面は、帯電を防止しつつ静電気放電が生じない程度の表面抵抗（例えば１０５Ω以上１０１１Ω以下）になるようにコーティングされたり、そのような表面抵抗にコントロールされたカバーが取り付けられてもよい。カバーの例は第３の実施形態で後述する。また、アースターミナル１０とアース線４１、５１、６１の接続は、バナナ端子４２、５２、６２と端子挿入孔１２とによる接続に限らず、ネジ固定、マグネット嵌合固定など他の接続形態が用いられてもよい。
【００２１】
以上、第１の実施形態をまとめると次の通りである。
（１）静電気放電を防止した区域で用いられるＥＰＡ機器１は、
複数の端子挿入孔１２（接続端子）を備えたアースターミナル１０を備え、
アースターミナル１０は、前記ＥＰＡ機器１の筐体の導体部品や静電気拡散性部品と電気的に導通しており、
複数の端子挿入孔１２は、相互に電気的に導通しており、
複数の端子挿入孔１２のうち少なくとも一つの端子挿入孔１２（本実施形態では第１の端子挿入孔１２ａ）はグラウンド設備を介してＥＰＡグラウンドに接地されるアース線４１が接続され、
他の端子挿入孔１２（本実施形態では第２〜第５の端子挿入孔１２ｂ〜１２ｅ）は、他の機器（リストストラップ５０やアース板６０、図示しない他のＥＰＡ機器から接続される接続端子（アース線５１、６１のバナナ端子５２、バナナ端子６２など）が挿入される。
（２）アースターミナル１０は、金属の塊（例えば、アルミニウムや真鍮、ステンレスなど）に端子挿入孔１２が直接設けられて形成されている。例えば、端子挿入孔１２は、切削加工により穴開けされて形成されている。
【００２２】
≪第２の実施形態≫
図３は本実施形態に係るアーム式照明拡大鏡１００の斜視図であり、背面側から見た斜視図を示している。
【００２３】
図示のように、アーム式照明拡大鏡１００は、レンズヘッド１０１と、アーム１０２と、アーム架台（クランプ式）１０３と、アースターミナル１１０とを備える。アーム１０２は、レンズヘッド１０１が取り付けられる第１アーム１０２ａと、アーム架台（クランプ式）１０３が取り付けられる第２アーム１０２ｂを有する。
【００２４】
アーム１０２（第１アーム１０２ａ）の先端にはレンズヘッド１０１が取り付けられる。
アーム１０２（第２アーム１０２ｂ）にはアーム架台（クランプ式）１０３が取り付けられる。アーム１０２は、このアーム架台（クランプ式）１０３により作業台等（例えば図１で示した作業台９１）に固定される。
【００２５】
アースターミナル１１０は、アーム１０２の背面側に取り付けられている。このアースターミナル１１０は、第１の実施形態と同様に、導体の金属で所定形状に形成されたターミナル本体１１１と、複数の端子挿入孔１１２とを有し、固定用プレート１１３でアーム１０２に取り付けられている。本実施形態では、アーム１０２の第２アーム１０２ｂにおいて、アーム架台（クランプ式）１０３の直ぐそばに取り付けられている。
【００２６】
複数の端子挿入孔１１２として、図示のように、第１〜第５の端子挿入孔１１２ａ〜１１２ｅが設けられている。アースターミナル１１０が、第２アーム１０２ｂに取り付けられた状態で、第１〜第５の端子挿入孔１１２ａ〜１１２ｅはアーム式照明拡大鏡１００（第２アーム１０２ｂ）の背面側を向けて開口している。第１〜第５の端子挿入孔１１２ａ〜１１２ｅには、ＥＢＰや帯電防止品、ＥＰＡ機器から延びるアース線１５１の一端に設けられたバナナ端子１５２が接続される。
【００２７】
第２の実施形態のアーム式照明拡大鏡１００によると、第１の実施形態と同様に、アース線１５１を集約してＥＢＰを介してＥＰＡグラウンドに接地できる。これによって、ＥＢＰ４０の追加の設置工事や、作業台等に個別に取り付けられる単体のアースターミナルの設置を抑制できる。また、アース線１５１の配線が煩雑になってしまうことを防止できる。さらに、作業者が使用するアーム式照明拡大鏡１００にアースターミナル１１０が設けられているので、作業者の作業位置（すなわちリストストラップからの距離）や個別に設置される単体のアースターミナルの位置によって、アーム式照明拡大鏡１００の設置位置が制限されるといったこともない。また、本実施形態では、アースターミナル１１０が第２アーム１０２ｂにおいて、アーム架台（クランプ式）１０３の直ぐそばに、端子挿入孔１１２の開口の向きを背面側として取り付けられているため、レンズヘッド１０１の位置を動かした場合でも、アースターミナル１１０に取り付けられているアース線１５１が大きく移動することはない。すなわち、アース線１５１の動きによって、作業が邪魔されることがない。
【００２８】
≪第３の実施形態≫
図４〜６を参照して、第３の本実施形態の照明拡大鏡２００（スタンドベース型ルーペ）について説明する。図４は照明拡大鏡２００の背面側から見た斜視図であり、図５は側面図であり、図６は図５のＡ−Ａ断面図である。
【００２９】
照明拡大鏡２００は、作業台２０３と、作業台２０３から立設する支柱２０２と、支柱２０２に継ぎ手２０６を介して支持アーム２０４により接続されたレンズヘッド２０１と、を有する。レンズヘッド２０１は、レンズがゴム製のレンズ枠に収容されたレンズユニットと、レンズユニットを収容するレンズホルダを有し、さらにレンズホルダには作業台２０３を照らす照明装置が設けられている。また、レンズヘッド２０１は、継ぎ手２０６によって上下前後の位置決めが可能である。作業台２０３の後側中央に架台部２０７が設けられており、この架台部２０７から支柱２０２が立設する。
【００３０】
架台部２０７の直ぐ横にはアースターミナルユニット２５０が設けられている。アースターミナルユニット２５０は、アースターミナル２１０と、ターミナルカバー２２０とを有する。
【００３１】
アースターミナル２１０は、第１及び第２の実施形態と同様に、金属でできた直方体のターミナル本体２１１と、ターミナル本体２１１に形成された端子挿入孔２１２とを備える。アース線２４１は、一端がＥＢＰや帯電防止品等に接続されており、他端にバナナ端子２４２が設けられている。
【００３２】
端子挿入孔２１２は、バナナ端子２４２が挿入可能な第１〜第５の端子挿入孔２１２ａ〜２１２ｅからなり、それらは後方側に開口を向けている。したがって、第１〜第５の端子挿入孔２１２ａ〜２１２ｅにバナナ端子２４２を挿入する場合は、照明拡大鏡２００の後ろ側から前向きに挿入されることになる。したがって、バナナ端子２４２に繋がっているアース線２４１が作業台２０３上の作業を邪魔することを防止できる。
【００３３】
また、アースターミナル２１０を覆うターミナルカバー２２０が設けられている。ターミナルカバー２２０は、帯電を防止しつつ静電気放電が生じない程度の表面抵抗（例えば１０５Ω以上１０１１Ω以下）になるようにコーティングされたり、そのような表面抵抗にコントロールされ樹脂からなる。
【００３４】
ターミナルカバー２２０の背面側には第１〜第５の端子挿入孔２１２ａ〜２１２ｅに対応した位置に、アース線２４１を通す配索開口が下側から凹状に形成されている。また、ターミナルカバー２２０の奥行きは、端子挿入孔２１２に挿入されたバナナ端子２４２を含めて被せられるような長さとなっている。アース線２４１やバナナ端子２４２の抜けを防止できる。また、ネジ固定位置を調整可能とすることで、バナナ端子２４２をターミナルカバー２２０の内面で押さえるように、ターミナルカバー２２０を取り付けできる。
【００３５】
バナナ端子２４２を端子挿入孔２１２（第１〜第５の端子挿入孔２１２ａ〜２１２ｅ）に挿入して、ターミナルカバー２２０を上から被せてネジ等でターミナル本体２１１に固定する。
【００３６】
以上、第３の実施形態によると、第１及び第２の実施形態と同様に、アース線２４１を集約してＥＢＰを介してＥＰＡグラウンドに接地できる。これによって、ＥＢＰの追加の設置工事や、作業台等に個別に取り付けられる単体のアースターミナルの設置を抑制できる。また、アース線２４１の配線が煩雑になってしまうことを防止できる。さらに、作業者が使用する照明拡大鏡２００にアースターミナル２１０が設けられているので、作業者の作業位置（すなわちリストストラップからの距離）や個別に設置される単体のアースターミナルの位置によって、照明拡大鏡２００の設置位置が制限されるといったこともない。また、本実施形態では、アースターミナル２１０が作業台２０３の後方側から立設する支柱２０２の直ぐ横に、より具体的には架台部２０７の直ぐ横に設けられ、かつ、アース線２４１は後方に配索されることになるので、作業台２０３に置かれる検査対象物の検査に邪魔になることはない。
【００３７】
また、ターミナル本体２１１は金属であり端子挿入孔２１２に接続された設備（ＥＢＰや帯電防止品、ＥＰＡ機器）の間で良好な導通が取られている。さらに、ターミナル本体２１１を上記のような表面抵抗のターミナルカバー２２０を覆うことから、好適な帯電防止がなされ、かつ、ＥＳＤに伴う検査対象物の破壊防止や、帯電が原因となる埃や異物の付着を効果的に防止できる。
【００３８】
以上、図面を参照して本発明の実施形態について述べたが、これらは本発明の例示であり、上記以外の様々な構成（変形例）を採用することもできる。
以下に本発明の形態を付記する。
（１）静電気放電を防止した区域で用いられる機器であって、
複数の接続端子を備えたアースターミナルを備え、
前記アースターミナルは、機器本体筐体の導体部品や静電気拡散性部品と電気的に導通しており、
前記複数の接続端子は、相互に電気的に導通しており、
前記複数の接続端子のうち少なくとも一つの接続端子はグラウンド設備を介してＥＰＡグラウンドに接地されるアース線が接続され、
他の端子は、他の機器から延びるアース線の接続端子が接続される、
機器。
（２）アームに取り付けられた拡大鏡であって、
前記アースターミナルは、前記アームの背面側に取り付けられ、
前記接続端子は前記アームの背面方向を向けて開口している端子挿入口として構成されている、
上記（１）に記載の機器。
（３）作業台と、前記作業台から立設する支柱に取り付けられた拡大鏡であって、
前記アースターミナルは、前記支柱の立設位置の近傍に設けられ、
前記接続端子は、背面方向を向けて開口している端子挿入口として構成されている、
上記（１）に記載の機器。
（４）前記アースターミナルを覆うカバーを備える、
上記（１）から（３）までのいずれか１項に記載の機器。
（５）前記カバーの表面抵抗は、１×１０５〜１×１０１１Ωである、
上記（４）に記載の機器。
（６）前記アースターミナルは、金属の塊に前記接続端子が直接設けられて形成されている、
上記（１）から（５）までのいずれか１項に記載の機器。
【符号の説明】
【００３９】
１  ＥＰＡ機器
２  機器側面
１０、１１０、２１０  アースターミナル
１１、１１１、２１１  ターミナル本体
１２、１１２、２１２  端子挿入孔
４０  ＥＢＰ
４１、５１、６１、１５１、２４１  アース線
４２、５２、６２、１５２、２４２  バナナ端子
４３  ＥＰＡグランド線
５０  リストストラップ
６０  アース板
９１  作業台
９１ａ  導電性ゴムマット
１００  アーム式照明拡大鏡
１０１  レンズヘッド
１０２  アーム
２００  照明拡大鏡
２０１  レンズヘッド
２０２  支柱
２０３  作業台
２０４  支持アーム
２０６  継ぎ手
２０７  架台部
２２０  ターミナルカバー
２５０  アースターミナルユニット
【要約】
【課題】ＥＰＡで作業をする際に帯電防止品等のアースを取りやすくする技術を提供する。
【解決手段】静電気放電を防止した区域で用いられるＥＰＡ機器１は、複数の端子挿入孔１２を備えたアースターミナル１０を備え、アースターミナル１０は、ＥＰＡ機器１の筐体の導体部品や静電気拡散性部品と電気的に導通しており、複数の端子挿入孔１２は、相互に電気的に導通しており、複数の端子挿入孔１２のうち少なくとも一つの端子挿入孔１２はグラウンド設備を介してＥＰＡグラウンドに接地されるアース線４１が接続され、他の端子挿入孔１２は、当該機器外から接続されるアース線５１、６１のバナナ端子５２、バナナ端子６２接続端子が挿入される。
【選択図】図１【図１】
0006792730.tif 000002
【図２】
0006792730.tif 000003
【図３】
0006792730.tif 000004
【図４】
0006792730.tif 000005
【図５】
0006792730.tif 000006
【図６】
0006792730.tif 000007